(57)【要約】      （修正有）【課題】メインランプとサブランプを含むランプユニットにおいて、サブランプまたはメインランプのみを点灯した場合でもメインランプやサブランプが暗く見えるようなことを防止し、ランプの非点灯時における外観上の見栄えの低下を防止してランプユニット全体の見栄えを向上することが可能なランプユニットを提供する。【解決手段】メインランプＨＬとサブランプＣＬＬとを一体に構成したランプユニットＬＵであって、メインランプＨＬは、ユニットボディ１と、メイン光源４と、メインリフレクタ５と、メインレンズ３１とを備えるプロジェクタ型ランプで構成され、サブランプＣＬＬは、メインレンズ３１の外周に沿って円弧状に配列された複数個のサブ光源７と、複数のサブ光源に対向するようにメインレンズ３１の外周に沿って配置されかつメインレンズ３１に一体に形成されたサブレンズ３２を備える。【選択図】図２
2012238477.tif 000002
【特許請求の範囲】
【請求項１】
メインランプとサブランプとを一体に構成したランプユニットであって、前記メインランプは、ランプ筒体としてのユニットボディと、前記ユニットボディに支持されたメイン光源と、当該メイン光源から出射した光を反射するメインリフレクタと、前記メインリフレクタで反射された光を所要の配光で前方に照射するメインレンズとを備えるプロジェクタ型ランプで構成され、前記サブランプは、前記メインレンズの外周に沿って円弧状に配列されて前記ユニットボディに支持された複数個のサブ光源と、前記複数のサブ光源に対向するように前記メインレンズの外周に沿って配置されかつ当該メインレンズに一体に形成されたサブレンズを備えることを特徴とするランプユニット。
【請求項２】
前記メインレンズと前記サブレンズは、一方のレンズから照射される光の一部が他方のレンズに導光され、さらにその光の一部は当該他方のレンズから前方に照射される構成であることを特徴とする請求項１に記載のランプユニット。
【請求項３】
前記ユニットボディは疑似リフレクタを有し、当該疑似リフレクタの一部は前記サブ光源の配設位置にまで延長され、当該サブ光源から出射した光を前記サブレンズに向けて反射するサブリフレクタとして構成されていることを特徴とする請求項２に記載のランプユニット。
【請求項４】
前記メイン光源と前記サブ光源はそれぞれ発光素子で構成され、前記メイン光源は前記複数のサブ光源の発光素子の合計の光度よりも高光度の発光素子で構成されていることを特徴とする請求項１ないし３のいずれかに記載のランプユニット。
【請求項５】
前記メインランプは正面形状が円形であり、前記サブランプは正面形状が前記メインランプの外周に沿った環状とされ、少なくともサブランプの円周一部が正面から見て斜め方向に切り欠かれていることを特徴とする請求項１ないし４のいずれかに記載のランプユニット。
【発明の詳細な説明】
【技術分野】
【０００１】
本発明はメインランプにサブランプを一体化したランプユニットに関するものである。
【背景技術】
【０００２】
車両用ランプ、特に車両の前照灯（ヘッドランプ）に用いるランプとして、いわゆるプロジェクタ型ランプが提案されている。このプロジェクタ型ランプは、光源から出射した光をリフレクタで集光し、集光した光を照射レンズにより前方に向けて照射させる構成であり、小型に構成できるという利点がある。また、近年では光源にＬＥＤ等の発光素子を用いたプロジェクタ型ランプも提案されており、さらなる小型化を図ることが可能とされている。しかし、このプロジェクタ型ランプはリフレクタの形状や照射レンズの形状の設計の自由度が低いため、得られる配光のバリエーションも限定されたものとなり、近年のように多彩な配光を切り替えることを可能にしたヘッドランプとしてそのまま適用することは難しい。
【０００３】
例えば、車両前方領域を照明するためのメインの配光としてのハイビーム配光やロービーム配光に加えて、クリアランスランプ（以下、ＣＬＬ）としての配光や、デイタイムランニングランプ（以下、ＤＲＬ）としての補助的な配光が要求されるヘッドランプを実現することが要求される場合があるが、従来ではこのような要求を満たすためには、それぞれ配光が異なる複数のプロジェクタ型ランプをランプユニットとして構成し、これら複数のランプユニットを１つのランプハウジング内に配設してヘッドランプを構成せざるを得ないものとなっている。特許文献１の例では１つのメインランプユニットと２つのサブランプユニットを１つのランプハウジング内に配設し、２つのサブランプユニットを選択して点灯して得られる光をメインランプユニットの光に重畳することにより所望の配光を得るようにしている。
【先行技術文献】
【特許文献】
【０００４】
【特許文献１】特開２００９−８７８１１号公報
【発明の概要】
【発明が解決しようとする課題】
【０００５】
特許文献１のランプでは１つのランプハウジング内に複数のランプユニットを配設しているため、当然にランプハウジングが大型化することになりヘッドランプの小型化を図る上で不利になる。また、特許文献１のランプでは、複数のランプユニットを選択的に点灯したとき、すなわち点灯しないランプユニットが存在するときには、ランプを前方から観察したときに当該点灯しないランプユニットの領域が暗くなりランプ全体の見栄えが低下することがある。例えば、メインランプユニットをヘッドランプとして構成し、サブランプユニットをＣＬＬやＤＲＬ等の補助ランプを構成した場合に、サブランプのみを点灯したときには点灯されないメインランプユニットが発光した外観にならないため、メインランプユニット及びその近傍領域が暗い外観となり、ランプ全体としての見栄えが低下してしまう。
【０００６】
本発明の目的はメインランプとサブランプを含むランプユニットにおいて、サブランプまたはメインランプのみを点灯した場合でもメインランプやサブランプが暗く見えるようなことを防止し、ランプの非点灯時における外観上の見栄えの低下を防止してランプユニット全体の見栄えを向上することが可能なランプユニットを提供するものである。
【課題を解決するための手段】
【０００７】
本発明はメインランプとサブランプとを一体に構成したランプユニットであって、メインランプは、ランプ筒体としてのユニットボディと、ユニットボディに支持されたメイン光源と、メイン光源から出射した光を反射するメインリフレクタと、メインリフレクタで反射された光を所要の配光で前方に照射するメインレンズとを備えるプロジェクタ型ランプで構成され、サブランプは、メインレンズの外周に沿って円弧状に配列されてユニットボディに支持された複数個のサブ光源と、複数のサブ光源に対向するようにメインレンズの外周に沿って配置されかつ当該メインレンズに一体に形成されたサブレンズを備えることを特徴とする。
【０００８】
本発明のランプユニットは次の形態とすることが好ましい。（ａ）メインレンズとサブレンズは、一方のレンズから照射される光の一部が他方のレンズに導光され、さらにその光の一部は他方のレンズから前方に照射される構成とする。（ｂ）ユニットボディは疑似リフレクタを有し、当該疑似リフレクタの一部はサブ光源の配設位置にまで延長され、サブ光源から出射した光をサブレンズに向けて反射するサブリフレクタとして構成される。（ｃ）メイン光源とサブ光源はそれぞれ発光素子で構成され、メイン光源は複数のサブ光源の発光素子の合計の光度よりも高光度の発光素子で構成される。（ｄ）メインランプは正面形状が円形であり、サブランプは正面形状がメインランプの外周に沿った環状とされ、少なくともサブランプの円周一部が正面から見て斜め方向に切り欠かれる。
【発明の効果】
【０００９】
本発明によれば、プロジェクタ型のメインランプにサブランプを一体化したランプユニットを構成しても、サブランプはメインランプのユニットボディと照射レンズの一部を共用化することができるため、サブランプを構成する際に必要とする部品はサブ光源のみでよく、部品点数の増加を抑制するとともにランプユニットのサイズの増加を最小限に抑えて小型化が実現できる。
【００１０】
また、本発明によれば、サブランプのみを点灯したときにランプユニットを前方から観察したときには、サブランプが発光した外観を呈することはもとより、サブランプからの光がメインレンズに導光されて照射されるのでメインランプが低い光度で発光した外観を呈することになり、メインランプが暗い外観になることはなくランプユニットの全体が観察できるようになる。メインランプのみを点灯した場合も同様である。また、ヘッドランプとサブランプを点灯したときにはランプユニットの全体が発光した状態に観察できるとともに、サブ光源の光度をメイン光源の光度よりも低光度にすることで高光度のメインランプの周囲に低光度の円弧状のサブランプが観察できるので、ランプユニットの意匠効果を高めて見栄えのあるランプユニットが構成できる。特に、サブランプの円周一部を正面から見て斜め方向に切り欠くことにより、斬新な意匠上の効果を得ることも可能である。
【図面の簡単な説明】
【００１１】
【図１】本発明の実施形態のランプユニットの正面図。
【図２】図１のII線縦断面図。
【図３】実施形態のランプユニットを分解した概略斜視図。
【図４】ＨＬのロービーム配光時の光路図と配光図。
【図５】ＨＬのハイビーム配光時の光路図と配光図。
【図６】ＣＬＬ配光時の光路図と配光図。
【図７】ＨＬ配光時とＣＬＬ配光時のランプユニットの正面からの観察図。
【発明を実施するための形態】
【００１２】
次に、本発明の実施の形態について図面を参照して説明する。図１は本実施形態のランプユニットの正面図、図２は図II線縦断面図、図３は分解した概略斜視図である。これらの図において、本実施形態では、ハイビーム配光とロービーム配光の切り替えが可能なヘッドランプ（以下、ＨＬ）として構成されたメインランプと、このメインランプにサブランプとしてクリアランスランプ（以下、ＣＬＬ）を一体化したランプユニットの例を示している。本実施形態のランプユニットＬＵは、自動車の左ＨＬ用のランプユニットとして構成された例であり、デザインの要求から正面視で円周左上縁の一部が斜めにカットされた正面形状に形成されている。図示は省略するが、右ヘッドランプとして構成された場合には正面視で円周右上縁の一部が斜めにカットされた正面形状となる。このメインランプは、ランプ筒体としてランプ光軸Ｌｘを含む中央開口部１１を有する概ね円筒状をしたユニットボディ１を有している。このユニットボディ１にはランプ光軸方向の後側面にヒートシンク２を配設支持しているが、このヒートシンク２は概念としては前記ユニットボディ１の一部として構成されているものとする。また、前記ユニットボディ１のランプ光軸方向の前側面にはユニットボディ１の前側面に配設支持された照射レンズ３を備えている。ここでは照射レンズ３はユニットボディ１の外周に嵌合される飾り枠９によってユニットボディ１との間に挟持された状態で支持されている。
【００１３】
前記ヒートシンク２は前記ユニットボディ１の中央開口部１１に臨んだ位置に配置されており、ランプ光軸Ｌｘに沿って領域が空洞化された内部室が２１設けられている。この内部室２１の下側内底面には光出射光軸を上方に向けたロービーム光源４１が固定支持されている。また前記内部室２１の前側寄りの上側内底面には光出射光軸を下方に向けてハイビーム光源４２が固定支持されている。これらロービーム光源４１とハイビーム光源４２は本発明のメイン光源４を構成するものであり、それぞれチップ基板４３，４４上に搭載されたＬＥＤ（発光ダイオード）チップで構成され、当該チップ基板４３，４４が接着あるいはネジ止めされることにより前記ヒートシンク２に固定支持されている。
【００１４】
また、前記ヒートシンク２の内部室２１には前記ロービーム光源４１の上部を覆う領域にロービームリフレクタ５１が配設されており、前記ヒートシンク２に支持されている。このロービームリフレクタ５１は第１焦点Ｆ１１が前記ロービーム光源４１の発光点に一致され、第２焦点Ｆ２がヒートシンク２よりも前方位置のランプ光軸Ｌｘ上の所定位置に設定された回転楕円反射鏡の一部で構成され、ロービーム光源４１から出射した光を第２焦点Ｆ２に向けて集光させるように機能する構成となっている。さらに、前記ヒートシンク２の内部室２１の下側内底面の前端領域の一部、すなわちヒートシンク２の前記ロービーム光源４１が配置された位置よりも前側領域は曲面状に切り欠かれており、この領域がハイビームリフレクタ５２として構成されている。このハイビームリフレクタ５２は第１焦点Ｆ１２が前記ハイビーム光源５２の発光点に一致され、第２焦点Ｆ２が前記ロービームリフレクタ５１の第２焦点Ｆ２と一致された回転楕円反射鏡の一部で構成され、ハイビーム光源４２から出射した光を第２焦点Ｆ２に向けて集光させる構成となっている。これらロービームリフレクタ５１とハイビームリフレクタ５２は本発明のメインリフレクタ５を構成している。
【００１５】
前記ヒートシンク２の前方位置で前記ロービームとハイビームの各リフレクタ５１，５２の第２焦点Ｆ２にほぼ一致する位置にはランプ光軸Ｌｘと直交する方向に沿ってシェード６が配設されており、前記ヒートシンク２あるいはユニットボディ１に支持されている。このシェード６は前記ヒートシンク２の内部室２１に対向する領域に所要の形状、ここでは左右方向に偏平な長円形あるいはこれに近い形状をした光透過窓６１を有する不透光板部材で構成されている。このシェード６は前記光透過窓６１のほぼ下側半分領域を遮蔽するための可動シェード板６２が水平方向に延長した状態で設けられており、この可動シェード板６２は下縁部に設けたヒンジ６３により板厚方向、すなわちランプ光軸方向に傾倒可能に構成されている。前記可動シェード６２の上縁部は後述するロービーム配光のカットラインに対応した形状に加工されている。この可動シェード６２は、図には示されていない配光制御アクチュエータによりロービーム配光時には起立状態となって光透過窓６１の下側半分を透過する光を遮光し、ハイビーム配光時にはヒンジ６３により前方に傾倒して前記光透過窓６１のほぼ全領域での光透過を可能とする。
【００１６】
前記ユニットボディ１の中央開口部１１の中心軸線はランプ光軸Ｌｘに一致されており、この中央開口部１１の周縁に沿った円弧状領域、すなわち前記したように正面視で斜めにカットされた円周左上縁部を除く円周領域には、当該円周領域に対応する円周一部を切除した円弧状チップ基板７２がその表面を前方に向けて支持されている。この円弧状チップ基板７２の前面には円周方向に等配した複数箇所、ここでは１０箇所にそれぞれ１個のＬＥＤチップ７１、すなわち合計で１０個のＬＥＤチップ７１が搭載されている。これらのＬＥＤチップ７１は円弧状チップ基板７２とともに本発明におけるサブ光源７として構成されており、ここではＣＬＬ光源として構成されている。このＣＬＬ光源７としてのＬＥＤチップ７１は光出射光軸がランプ光軸Ｌｘに沿った前方に向けられており、前記ロービーム光源及びハイビーム光源としての各ＬＥＤチップ４１，４２よりも低光度のＬＥＤで構成されている。すなわち、ＬＥＤチップ７１の各発光光度は、これら１０個のＬＥＤチップ７１の光度を全て加算した全光度が前記ハイビーム光源またはロービーム光源としての各ＬＥＤ４１，４２の発光光度よりも低光度に設定されている。
【００１７】
さらに、前記ユニットボディ１の中央開口部１１の内周面には概ね円筒状をしたエクステンション、すなわち表面を鏡面処理した疑似リフレクタ８が配設されており、この疑似リフレクタ８の円周一部領域、すなわち前記円弧状チップ基板７２が配設されている円周領域には外径方向に突出して当該円弧状チップ基板７２の前側を覆うフランジ８１が一体に設けられている。このフランジ８１には前記１０個の各ＬＥＤチップ７１に対向する円周複数位置にそれぞれ小さい矩形の光透過穴８２が開口されるとともに、それぞれの光透過穴８２を頂点として前方に向けて凹設された凹曲面が形成されており、この凹曲面はサブリフレクタ８３として構成されている。このサブリフレクタ８３は、ＣＬＬ光源としての各ＬＥＤチップ７１から出射した光を光透過穴８２を通して前方に出射させるとともに、当該光透過穴８２を透過した光の一部を前方に向けて反射する。
【００１８】
前記照射レンズ３は、前記ユニットボディ１の前側に配置されてユニットボディ１の中央開口部１１に臨んで配設された単一の片凸レンズからなるメインレンズ３１と、このメインレンズ３１の外周縁に沿って前記サブ光源７が設けられた円周領域に配設されたサブレンズ３２とが一体に形成されている。前記メインレンズ３１はレンズ光軸が前記ランプ光軸Ｌｘに一致されるとともに、その後側焦点は前記ロービームリフレクタ５１とハイビームリフレクタ５２の第２焦点Ｆ２にほぼ一致されている。前記サブレンズ３２の前面はランプ光軸Ｌｘ上の一点を仮想頂点とする円錐面または円錐面に近い曲面として構成されている。また、前記サブレンズ３２の後面は前記ＬＥＤチップ７１の円周方向の配列ピッチに対応して複数の領域に区画されるとともに、各区画された領域はそれぞれ独立した後方向に凸の集光レンズ３３として構成されている。これら複数の集光レンズ３３はそれぞれのレンズ光軸が対向配置されるＬＥＤチップ７１の光出射光軸に一致されるとともに、各集光レンズ３３の後側焦点は各ＬＥＤ７１の発光点にほぼ近い位置に設定されている。そして、サブレンズ３２の各集光レンズ３３の内周縁部と前記メインレンズ３１の外周縁部とが一体に連結された連結部分３４はランプ光軸方向（レンズ光軸方向）に所要の厚みをもっており、この連結部分３４においてサブレンズ３２とメインレンズ３１との間で相互に光が導光することが可能とされている。
【００１９】
以上の構成のランプユニットＬＵでは、ユニットボディ１と、ロービームとハイビームの各光源４１，４２からなるメイン光源４と、ロービームリフレクタ５１とハイビームリフレクタ５２からなるメインリフレクタ５と、照射レンズ３のメインレンズ３１とでメインランプとしてのＨＬが構成される。また、ＣＬＬ光源７１からなるサブ光源７と、照射レンズ３のサブレンズ３２と、メインランプに設けた疑似リフレクタ８の一部で構成されたサブリフレクタ８３とでサブランプとしてのＣＬＬが構成されることになる。
【００２０】
メインランプにおいては、メイン光源４の点灯によりロービーム配光とハイビーム配光での光照射が可能である。ロービーム配光時には、図４（ａ）に示すように、ロービーム光源４１のみを点灯すると同時に可動シェード６２を起立状態に制御する。ロービーム光源（ＬＥＤチップ）４１から出射した光はロービームリフレクタ５１で反射されて第２焦点Ｆ２に集光され、さらにシェード６の光透過窓６１を通して照射レンズ３のメインレンズ３１に入射され、さらにメインレンズ３１を透過して前方に向けて照射される。このとき可動シェード６２が起立状態にあって光透過窓６１の下半分領域を透過しようとする光は可動シェード６２により遮光されるため、図４（ｂ）に示すように、可動シェード６２の上縁部の形状に対応したカットラインを有して水平ラインＨよりもほぼ下側の領域を照射する光によるロービーム配光ＰＬｏでの光照射となる。なお、点描領域が光照射領域を示すことは以下においても同じである。
【００２１】
ハイビーム配光時には、図５（ａ）に示すように、ロービーム光源４１に加えてハイビーム光源４２を点灯すると共に可動シェード６２を前方に倒した状態に制御する。ロービーム光源（ＬＥＤチップ）４１から出射した光はロービームリフレクタ５１で反射されて第２焦点Ｆ２に集光され、さらにシェード６の光透過窓６１を通して照射レンズ３のメインレンズ３１に入射されることはロービーム配光時と同じである。また、ハイビーム光源（ＬＥＤチップ）４２から出射した光はハイビームリフレクタ５２で反射されて第２焦点Ｆ２に入射され、メインレンズ３１に入射される。これらのメインレンズ３１に入射された光は当該メインレンズ３１を透過して前方に向けて照射される。このとき可動シェード６２は前方に傾動されているため可動シェード６２による遮光が行われることはなく、光透過窓６１の殆ど全ての領域を透過する光が照射されることになる。これにより、図５（ｂ）に示すように、前方の広い領域にわたって、しかもロービーム光源とハイビーム光源の両者の光が重畳した高い光度でのハイビーム配光ＰＨｉでの照射となる。
【００２２】
サブランプの配光時、すなわちＣＬＬ配光時には、図６（ａ）に示すように、ＣＬＬ光源７１のみを点灯する。ＣＬＬ光源７、すなわち複数のＬＥＤチップ７１から出射した光はそれぞれサブレンズ３２の各対応する集光レンズ３３により光束が平行光に近い状態に集光され、さらにサブレンズ３２の前面、すなわち円錐面で屈折されて上下、左右に多少拡大する状態で前方に向けて照射される。また、図には示していないが、ＣＬＬ光源７１から出射した光の一部は疑似リフレクタ８のサブリフレクタ８３により前方に向けて反射されサブレンズ３２により集光されながら照射される。これにより、図６（ｂ）に示すように、各ＣＬＬ光源７１から出射した光が互いに重畳して前方に照射されたＣＬＬ配光ＰＣＬとなる。このＣＬＬ配光ＰＣＬはハイビーム配光に比較して照射範囲は狭く、かつ低光度である。
【００２３】
このように、この実施形態ではメインランプとしてのＨＬにサブランプとしてのＣＬＬを一体化してランプユニットＬＵを構成しているが、ＣＬＬはＨＬを構成しているユニットボディ１と照射レンズ３と疑似リフレクタ８の一部を共用化した構成とすることができるため、ＣＬＬを構成する際に必要とする部品はＣＬＬ光源７、すなわちＬＥＤチップ７１とチップ基板７２のみでよく、プロジェクタ型ランプを基礎としてメインランプとサブランプを一体化したランプユニットＬＵを構成する際の部品点数の増加を抑制することができる。また、共用化によってランプユニットＬＵのサイズの増加を最小限に抑えることができ、ランプユニットＬＵの小型化が実現できる。
【００２４】
また、ランプユニットＬＵを前方から観察したときの外観上の見栄えについて見ると、図７（ａ）に示すように、ＨＬとしてのメインランプを点灯したときにメインレンズ３１が明るく見えてメインランプが発光した外観を呈する。また、このときには通常ＣＬＬも点灯されているためサブランプも発光した外観となり、ランプユニットＬＵの全体が発光した状態に観察できる。さらに、ＣＬＬ光源の光度はＨＬの光源の光度よりも低光度であるので、高光度の円形の外観を呈するＨＬの周囲に低光度の円弧状のＣＬＬが観察できるので、ランプユニットＬＵ全体として同心円状の発光領域が観察でき、ランプユニットＬＵの意匠効果を高めた見栄えのあるランプユニットとなる。
【００２５】
なお、サブランプをＣＬＬ以外のランプ、例えばＤＲＬとして構成したような場合にはメインランプとしてのＨＬのみを点灯する状況が生じるが、このようにメインランプのみを点灯したときにはメインランプが発光した外観であることは勿論であるが、このときには図５（ａ）に破線で示すように、メインレンズ３１に入射された光の一部が連結部３４を通してサブレンズ３２に導光することによってサブレンズ３２も幾分明るくされてサブランプが低光度で発光したと同じような外観となり、ランプユニットＬＵの全体が発光した状態の外観となる。
【００２６】
また、サブランプとしてのＣＬＬのみを点灯してランプユニットＬＵを前方から観察したときにはときには、図７（ｂ）に示すように、円弧状のサブレンズ３２が発光した外観を呈することになる。しかし、このとき図６（ａ）に破線で示すように、サブ光源７１からサブレンズ３２の後側面から入射された光の一部は当該サブレンズ３２の前面で内面反射されて連結部３４を導光してメインレンズ３１に導光され、メインレンズ３１から前方に向けて出射される。したがって、ＨＬが低い光度で発光した外観を呈することになる。すなわち、ＣＬＬが点灯したときにはＣＬＬが発光した外観に加えてＨＬも低光度で発光したような外観となり、ＨＬが暗い状態の外観にはならずにランプユニットＬＵの全体が観察できるようになる。これはサブランプをＤＲＬとして構成した場合でも同じである。
【００２７】
実施形態ではメインランプとしてロービーム配光とハイビーム配光の切り替えが可能なＨＬを構成し、サブランプとしてＣＬＬを構成しているが、各ランプはこれらに限定されるものではない。例えば、メインランプはロービームランプまたはハイビームランプのいずれかであってもよい。あるいはヘッドランプ以外のランプであってもよい。サブランプは前記したようにＤＲＬ、あるいはその他の補助ランプであってもよい。また、メインランプについては光源として発光素子を用いた光源に限定されるものではなく、白熱バルブや放電バルブを用いたランプとして構成してもよい。サブランプについても同様であるが、ランプユニットの小型化を図る上ではサブランプは発光素子を光源としたランプとして構成することが好ましい。
【００２８】
また、実施形態では意匠上の要求からランプユニットＬＵの円周一部を切り欠いた構成とし、これに対応してサブランプも円周一部を切り欠いた円弧状に形成した例を示しているが、サブランプについてこのような円周一部の切り欠きを行うことは必須ではなく、切り欠きのない円環状に構成してもよい。あるいはサブランプはサブ光源を円周複数箇所にそれぞれ離して配置した花弁状に構成してもよい。さらには、サブランプはメインランプの外周に沿って楕円形、方形、多角形等の任意の形状とすることでランプユニットの意匠効果を高めることも可能である。
【産業上の利用可能性】
【００２９】
本発明はメインランプをプロジェクタ型ランプで構成し、これにサブランプを一体に構成するランプユニットに採用することが可能である。
【符号の説明】
【００３０】
１  ユニットボディ
２  ヒートシンク
３  照射レンズ
４  メイン光源
５  メインリフレクタ
６  シェード
７  サブ光源
８  疑似リフレクタ
９  飾り枠
１１  中央開口部
３１  メインレンズ
３２  サブレンズ
３４  連結部
４１  ＬＥＤチップ（ロービーム光源）
４２  ＬＥＤチップ（ハイビーム光源）
５１  ロービームリフレクタ
５２  ハイビームリフレクタ
６２  可動リフレクタ
７１  ＬＥＤチップ（ＣＬＬ光源）
８３  サブリフレクタ（ＣＬＬリフレクタ）
【図１】
2012238477.tif 000003
【図２】
2012238477.tif 000004
【図３】
2012238477.tif 000005
【図４】
2012238477.tif 000006
【図５】
2012238477.tif 000007
【図６】
2012238477.tif 000008
【図７】
2012238477.tif 000009